(57)【要約】【課題】操作パネルの操作性及び表示器の見易さを向上させた加熱調理器を構築する。【解決手段】食品１を収納する加熱室２と、食品１を加熱室２に出し入れするドア３と、このドア３の前部を覆うガラス５と、このガラス５の下端のドア３部に左右方向に長い形状で設けられた食品１の加熱開始等を操作する操作パネル９と、前記ガラス５の裏面に設けられ食品１の加熱情報を表示する表示器１０を備えた加熱調理器において、メニュー選択ボタン群６や調理開始ボタン７、取消ボタン８などを操作パネル９内の左右方向に一列に配置する。【選択図】  図１
2004226013.tif 000002
【特許請求の範囲】
【請求項１】
食品（１）を収納する加熱室（２）と、食品（１）を加熱室（２）に出し入れするドア（３）と、このドア（３）の前部を覆うガラス（５）と、このガラス（５）の下端のドア（３）部に左右方向に長い形状で設けられた食品（１）の加熱開始等を操作する操作パネル（９）と、前記ガラス（５）の裏面に設けられ食品（１）の加熱情報を表示する表示器（１０）を備えた加熱調理器において、メニュー選択ボタン群（６）や調理開始ボタン（７）、取消ボタン（８）などを操作パネル（９）内の左右方向に一列に配置したことを特徴とする加熱調理器。
【請求項２】
表示器（１０）を操作パネル（９）の近傍の上部中央付近に設けることを特徴とする請求項１記載の加熱調理器。
【請求項３】
表示器（１０）にネガタイプの液晶表示を使用したことを特徴とする請求項１、２記載の加熱調理器。
【発明の詳細な説明】
【０００１】
【発明の属する技術分野】
本発明は、操作パネルの操作性及び表示器の見易さを向上させた加熱調理器に関するものである。
【０００２】
【従来の技術】
最近、電子レンジやオーブンレンジなどの加熱調理器においては、各社とも、外観上デザインによる差別化を手がけてきており、特長付けをするために、色や操作ボタンの形状、調理時間や調理情報を伝達する表示器の配置や大きさなどにさまざまな工夫を施している。
【０００３】
図６に示すものは、加熱室に食品２３を出し入れする際に使用するドア２１が手前に開く縦開きタイプの加熱調理器の外観正面図である。この図の２４は食品２３の加熱開始等を操作する操作パネルで、ドア２１の下部に左右に長い形状で配置されている。この操作パネル２４内には次に説明するものが設けられている。
【０００４】
２５は表示器で、操作パネル２４の左端に設けられ加熱時間等の情報を表示するものである。この表示器２５の配置は表示器２５が下記に説明するボタン類を操作しているとき手暗がりにならないように配慮されている。
【０００５】
２６は食品２３の調理の開始を指示する調理ボタンである。２７はメニュー選択ボタン群で、電子レンジ機能やオーブン機能などを選択する機能ボタン２７ａ、メニューを選択するメニューボタン２７ｂ、時間を設定する時間ボタン２７ｂや温度調節や仕上がりなどを設定する仕上がりボタン２７ｄなどが操作パネル２４内に上下二列に配置されていたものであった。
【０００６】
【特許文献１】特開２００１−３１７７４５号公報
【発明が解決しようとする課題】
従来の加熱調理器においては、ユーザーが操作パネルを操作する上で不具合を感じてしまう商品が少なくない。一例を上げれば、自動調理のメニューを増やすために限られた範囲内に小さなボタンを多数設けているため、そのボタンが押しにくい、また、間違ってボタンを押してしまう。また、メニューの文字なども小さくなり判読しにくく、デザインもスッキリ感がでないなどの問題があった。
【０００７】
図６に示した加熱調理器においても、調理開始ボタン２６やメニュー選択ボタン群２７が２列に配置されているため視覚範囲が広がり、とっさのとき希望するメニュー選択ボタン群２７などが選択しにくい問題があった。
【０００８】
また、表示器２５が左方面に偏って設けられているため、右側にあるメニュー選択ボタン群２７を操作しているときは表示器２５が視野から外れてしまい、視線の移動動作が必要となり操作性が悪くなる問題があった。
【０００９】
さらに、表示器の存在が常に表示されているためスッキリ感がなく目障りとなるなどの問題があった。
【００１０】
【課題を解決するための手段】
本発明は上記の課題を解決するために、食品を収納する加熱室と、食品を加熱室に出し入れするドアと、このドアの前部を覆うガラスと、このガラスの下端のドア部に左右方向に長い形状で設けられた食品の加熱開始等を操作する操作パネルと、前記ガラスの裏面に設けられ食品の加熱情報を表示する表示器を備えた加熱調理器において、メニュー選択ボタン群や調理開始ボタン、取消ボタンなどを操作パネル内の左右方向に一列に配置したものである。
【００１１】
【発明の実施の形態】
本発明は、食品を収納する加熱室と、食品を加熱室に出し入れするドアと、このドアの前部を覆うガラスと、このガラスの下端のドア部に左右方向に長い形状で設けられた食品の加熱開始等を操作する操作パネルと、前記ガラスの裏面に設けられ食品の加熱情報を表示する表示器を備えた加熱調理器において、メニュー選択ボタン群や調理開始ボタン、取消ボタンなどを操作パネル内の左右方向に一列に配置したものである。
【００１２】
また、表示器を操作パネルの近傍の上部中央付近に設けたものである。
【００１３】
さらに、表示器にネガタイプの液晶表示を使用したものである。
【００１４】
【実施例】
以下、本発明の実施例を図面を用いて説明する。
【００１５】
図において、１は食品である。２は食品１を収納する加熱室である。３は食品１を出し入れするドアである。このドア３にはガラス５、操作パネル９そして表示器１０などが装着されている。これらについては下記にて詳しく説明する。
【００１６】
このドア３は鋼板で構成されており、このドア３の裏側（加熱室２側）はドア３が閉じたとき加熱室２の開口部全周辺に設けられた平面部２ａと密接することによりマイクロ波で食品１を加熱中、マイクロ波が加熱室２から漏洩しないようにしている。
【００１７】
また、ドア３の加熱室２と相対する部分には加熱室２内の食品１が観察できるよう図３で示すところに透視部４が設けられている。この透視部４は加熱時に加熱室２内のマイクロ波が加熱室２から漏洩しないよう多数の小孔（図示せず）で構成されている。
【００１８】
５はドア３の前面に配置されているガラスである。このガラス３は食品１の加熱中にユーザーが針金など細い金属を差し込まれないようにするため設けられているものである。本発明ではこのガラス５はハーフミラーになっている。従って、表面が鏡のようになっているため光が透過しにくく、裏側に光源がなければガラス５越しに加熱室２内が見えにくい構造となっている。つまり、加熱室２内はオーブン灯（図示せず）で照明されればよく見えるが、オーブン灯が消えると殆ど見えない状態になる。
【００１９】
９は操作パネルで、食品１の加熱条件などを設定したり、加熱開始等を操作するところである。図４にこの操作パネル９の拡大図を示す。この図の６ａは機能選択ボタンで、電子レンジ機能を選ぶレンジボタン６ａ１、オーブン機能を選ぶオーブンボタン６ａ２そしてグリル機能を選ぶグリルボタン６ａ３で構成されている。６ｂは食品１の加熱時間を設定する加熱時間ボタンである。６ｃはメニューボタンで、食品１の代表的な複数のメニューが予め設定されており、必要とするメニューを選び出すものである。これらのメニューは予め加熱機能や加熱時間、加熱温度などが設定されている。６ｄは加熱温度や食品１の仕上がり具合を調節する仕上がり設定ボタンである。以上説明した番号６ａ〜６ｄを総称してメニュー選択ボタン群６と称す。
【００２０】
７は食品１の加熱開始を指示する調理開始ボタンである。８は誤って設定したとき設定を取消す取消ボタンである。１１は加熱室２内を脱臭する脱臭ボタンである。
【００２１】
操作パネル９には、上記で説明したメニュー選択ボタン群６や調理開始ボタン７、取消ボタン８、脱臭ボタン１１などが一列に配置されている。そしてこの操作パネル９はガラス５の下端のドア３部に左右に長い形状で配置されている。
【００２２】
また、ドア３部の横幅は選択ボタン群６を左右に一列に配置するのに十分なスペースが確保されている。
【００２３】
１０は食品１の加熱情報を表示する液晶の表示器で、操作パネル９の近傍の上部中央付近に、ガラス５とドア３間に設けられている。この表示器１０は非通電時、図５（ａ）に示すように表面全体が黒色（液晶色）になっている。通電時に図５（ｂ）に示すような設定した文字や数字などが白く（背面色）見え点灯状態となる。このような表示器１０をネガタイプの液晶表示と称している。
【００２４】
次に、上記にて構成された本発明の動作について説明する。
【００２５】
初めに電子レンジ加熱の例で説明する。食品１を加熱室２に載置しドア３を閉じる。次にメニュー選択ボタン群６の機能選択ボタン６ａからレンジボタン６ａ１を操作する。すると表示器１０に図５（ｂ）に示すように「レンジ」の文字が表示される。次に加熱時間ボタン６ｂで加熱時間、例えば１５分を設定する。そして調理開始ボタン７を操作すると加熱が始まり食品１が加熱され、設定時間になると加熱は終了する。
【００２６】
次に、オーブン機能で焼き物をする場合について説明する。まず、加熱室２に食品１を載置しドア３を閉じる。そして、メニュー選択ボタン群６の機能選択ボタン６ａからオーブンボタン６ａ２を操作する。すると図５（ｃ）に示すように表示器１０に「オーブン」の文字が表示される。次に加熱時間ボタン６ｂで加熱時間、例えば１５分を設定する。さらに仕上がり設定ボタン６ｄで焼く温度、例えば１８０℃を設定し、調理開始ボタン７を操作すると加熱が始まり食品１が加熱され、設定時間になると加熱は終了する。
【００２７】
また、使用頻度の高いメニューはメニューボタン６ｃに予め設定されているため、メニューボタン６ｃから必要なメニューを選び出す。加熱機能や加熱時間、加熱温度などは予め設定されているためメニューを選び出しすれば表示器１０には加熱機能や加熱時間などの加熱条件が表示され、調理開始ボタン７を操作すれば加熱が始まる。メニューの選定が誤った場合は取消ボタン８で取消す。
【００２８】
以上説明したように、食品１を加熱する場合は一列に配置されたメニュー選択ボタン群６などを操作するため、戸惑うことなく操作することができる。また、表示器１０は操作パネル９の近傍の上部中央付近に設けられているため、どの位置のメニュー選択ボタン群６を操作していても常に視野範囲内に入り、操作がしやすい。
【００２９】
また、表示器１０はハーフミラーのガラス５越しに設けられているため、存在感がなくすっきりしている。しかし、表示器１０の点灯時は設定された文字や数字だけが浮かび上がるため非常に見やすい状態となる。
【００３０】
【発明の効果】
以上説明したように本発明によれば、食品を収納する加熱室と、食品を加熱室に出し入れするドアと、このドアの前部を覆うガラスと、このガラスの下端のドア部に左右方向に長い形状で設けられた食品の加熱開始等を操作する操作パネルと、前記ガラスの裏面に設けられ食品の加熱情報を表示する表示器を備えた加熱調理器において、メニュー選択ボタン群や調理開始ボタンなど操作するボタン類を前記操作パネル内の左右方向に一列に配置しり、表示器を操作パネルの近傍の上部中央部付近に設け、さらに、表示器にネガタイプの液晶表示を使用することによりデザインがすっきりし、戸惑うことなく操作することができる。また、表示器は操作パネルの近傍の上部中央付近に設けられているため、どの位置のメニュー選択ボタンを操作していても表示器が視野範囲内になるため、操作がしやすい。
【００３１】
さらに、ネガタイプの液晶の表示器をしているため必要な文字のみが表示され、見やすく、確認間違が激減するなどの効果がある。
【図面の簡単な説明】
【図１】本発明の一実施例を示す加熱調理器の外観正面図である。
【図２】本発明の一実施例を示す加熱調理器の側面よりみた略構造図である。
【図３】本発明の一実施例を示す加熱調理器のドアを開いた状態の加熱室の正面図である。
【図４】本発明の一実施例を示す操作パネルの拡大図である。
【図５】本発明の一実施例を示す表示器の文字、数字などの非点灯時（ａ）と点灯時（ｂ）、（ｃ）の図である。
【図６】従来の加熱調理器の外観正面図である
【符号の説明】
１・・・食品
２・・・加熱室
３・・・ドア
５・・・ガラス
６・・・メニュー選択ボタン群
７・・・調理開始ボタン
８・・・取消ボタン
９・・・操作パネル
１０・・・表示器
【図１】
2004226013.tif 000003
【図２】
2004226013.tif 000004
【図３】
2004226013.tif 000005
【図４】
2004226013.tif 000006
【図５】
2004226013.tif 000007
【図６】
2004226013.tif 000008